(57)【要約】  端子ねじホルダ（５）によって保持された端子ねじ（６）を、端子カバー（４）を用いて端子（３）のねじ穴（３ａ）から離れた仮止め位置で仮止め可能な電磁接触器（１）であって、端子ねじホルダ（５）は、端子カバー（４）が貫通する形状であって、内側面に被内側ガイドを備え、外側面に被外側ガイドを備えており、端子カバー（４）は、端子ねじホルダ（５）を貫通して被内側ガイドを案内する内側ガイドと、被外側ガイドを案内する外側ガイドとを有する。
2017056198.tif 000002
【特許請求の範囲】
【請求項１】
端子ねじホルダによって保持された端子ねじを、端子カバーを用いて端子のねじ穴から離れた仮止め位置で仮止め可能な電気機器であって、
前記端子ねじホルダは、前記端子カバーが貫通する形状であって、内側面に被内側ガイドを備え、外側面に被外側ガイドを備えており、
前記端子カバーは、前記端子ねじホルダを貫通して前記被内側ガイドを案内する内側ガイドと、前記被外側ガイドを案内する外側ガイドとを有することを特徴とする電気機器。
【請求項２】
前記被外側ガイドは、前記被内側ガイドよりも前記端子ねじのねじ込み方向の長さが長いことを特徴とする請求項１に記載の電気機器。
【請求項３】
前記外側ガイドは、前記仮止め位置と前記端子ねじのねじ先が前記ねじ穴に入る位置との間の区間で前記被外側ガイドを案内する長さを有することを特徴とする請求項１に記載の電気機器。
【請求項４】
前記端子カバーは、前記端子ねじのねじ込み方向に延在し側面に前記内側ガイドを有する舌部と、該舌部とは間隔を空けて配置されて該舌部を挟んで延在し、前記舌部と対向する部分に前記外側ガイドを備えた一対の腕部とを備え、
前記端子ねじホルダは、前記端子ねじを保持し、前記端子カバーに案内されて前記端子ねじをスライド移動する保持部と、前記舌部が貫通し内面に前記被内側ガイドを有する被ガイド部と、外面に前記被外側ガイドを有する操作部とを備えることを特徴とする請求項１に記載の電気機器。
【請求項５】
前記被外側ガイドは、前記被内側ガイドよりも前記端子ねじのねじ込み方向の長さが長いことを特徴とする請求項４に記載の電気機器。
【請求項６】
前記外側ガイドは、前記仮止め位置と前記端子ねじのねじ先が前記ねじ穴に入る位置との間の区間で前記被外側ガイドを案内する長さを有することを特徴とする請求項４に記載の電気機器。
【請求項７】
前記舌部の厚さ方向において、前記腕部と前記舌部との段差は、前記操作部と前記舌部との段差よりも小さいことを特徴とする請求項４に記載の電気機器。
【請求項８】
前記腕部は、前記端子を収容するケースと係合する係合突起を備え、
前記腕部と前記舌部とは、前記舌部の厚さ方向の位置が部分的に重なっていることを特徴とする請求項４に記載の電気機器。
【請求項９】
前記端子を複数備え、
前記端子カバーは、複数の前記端子の各々に対応して前記舌部及び前記腕部を備え、隣接する前記端子に対応する前記腕部同士を連結する連結部を有し、
前記ケースは、複数の前記端子を隔てる絶縁バリアに、前記連結部と係合する凹部を備えることを特徴とする請求項４から８のいずれか１項に記載の電気機器。
【発明の詳細な説明】
【技術分野】
【０００１】
本発明は、圧着端子付電線の配線スペースを確保した仮止め位置で端子ねじを仮止め可能な電気機器に関する。
【背景技術】
【０００２】
電気機器の端子のねじ穴に丸形圧着端子付き電線を配線する際、ねじ穴から外した端子ねじを取り外すことなく、丸形圧着端子の挿入スペースを確保できる位置まで端子ねじを案内して保持し、丸形圧着端子付き電線の配線作業を容易化する技術がある。【０００３】
特許文献１には、端子ねじホルダに被ガイドとなる突起部を設け、端子カバーに溝を設け、端子ねじホルダの突起部を端子カバーの溝で案内することで、丸形圧着端子の挿入スペースを確保できる位置まで端子ねじを案内し、端子ねじを仮止めできる構造が開示されている。
【先行技術文献】
【特許文献】
【０００４】
【特許文献１】特開平５−１５２０１６号公報
【発明の概要】
【発明が解決しようとする課題】
【０００５】
特許文献１に開示される発明は、丸形圧着端子の挿入スペースを確保した状態で仮止めされた端子ねじを締め付ける場合、丸形圧着端子を挿入した後、端子ねじをドライバーで押し込むことで仮止め状態を解除し、端子ねじの締め付け作業を行う。特許文献１に開示される発明では、端子ねじホルダが端子カバーに案内される距離が短いため、端子カバーのガイドと端子ねじホルダの被ガイドとの間に寸法許容差のばらつきによるクリアランスが存在すると、端子ねじ中心軸に対して傾いた状態でドライバーが押し込まれた際に端子ねじが傾いて、ねじ穴からずれた位置に端子ねじが案内されてしまうことがある。【０００６】
端子ねじホルダの突起部を長くすれば、端子ねじホルダが案内される長さを確保することができ、端子ねじの傾きを抑制することが可能であるが、丸形圧着端子を挿入するスペースを確保しなければならず、外形寸法を大きくする必要がある。したがって、外形寸法を大きくすることなく、端子ねじの中心軸に対して傾いた状態でドライバーが押し込まれても、端子ねじをねじ穴に案内できる構造が求められている。【０００７】
本発明は、上記に鑑みてなされたものであって、外形寸法の増大を抑えつつ、端子ねじの中心軸に対して傾いた状態でドライバーが押し込まれても端子ねじをねじ穴に案内できる電気機器を得ることを目的とする。
【課題を解決するための手段】
【０００８】
上述した課題を解決し、目的を達成するために、本発明は、端子ねじホルダによって保持された端子ねじを、端子カバーを用いて端子のねじ穴から離れた仮止め位置で仮止め可能な電気機器である。本発明の端子ねじホルダは、端子カバーが貫通する形状であって、内側面に被内側ガイドを備え、外側面に被外側ガイドを備えている。本発明の端子カバーは、端子ねじホルダを貫通して被内側ガイドを案内する内側ガイドと、被外側ガイドを案内する外側ガイドとを有する。
【発明の効果】
【０００９】
本発明に係る電気機器は、外形寸法の増大を抑えつつ、端子ねじの中心軸に対して傾いた状態でドライバーが押し込まれても端子ねじをねじ穴に案内できるという効果を奏する。
【図面の簡単な説明】
【００１０】
【図１】本発明の実施の形態に係る電気機器である電磁接触器の斜視図
【図２】実施の形態に係る電磁接触器の端子ねじ仮止め構造の斜視図
【図３】実施の形態に係る電磁接触器の端子ねじの側面図
【図４】実施の形態に係る電磁接触器のケースの斜視図
【図５】実施の形態に係る電磁接触器の端子カバーの正面図
【図６】実施の形態に係る電磁接触器の端子カバーの上面図
【図７】実施の形態に係る電磁接触器の断面図
【図８】実施の形態に係る電磁接触器の断面図
【図９】実施の形態に係る電磁接触器のケースに端子カバーを装着した状態を示す図
【図１０】実施の形態に係る電磁接触器の端子ねじホルダの正面図
【図１１】実施の形態に係る電磁接触器の端子ねじホルダの上面図
【図１２】実施の形態に係る電磁接触器の端子ねじホルダの左側面図
【図１３】実施の形態に係る電磁接触器の端子ねじホルダの右側面図
【図１４】実施の形態に係る電磁接触器の断面図
【図１５】実施の形態に係る電磁接触器の断面図
【図１６】実施の形態に係る電磁接触器の端子ねじ仮止め構造の正面図
【図１７】実施の形態に係る電磁接触器の端子ねじが仮止めされた状態での一部分を示す斜視図
【図１８】実施の形態に係る電磁接触器の端子ねじが仮止めされた状態での一部分を示す斜視図
【図１９】実施の形態に係る電磁接触器の端子ねじが仮止めされた状態での端子ねじ仮止め構造の断面図
【図２０】実施の形態に係る電磁接触器の端子に丸形圧着端子付き電線を配置した状態での一部分を示す斜視図
【図２１】実施の形態に係る電磁接触器の端子ねじの仮止めが解除された状態での一部分を示す斜視図
【図２２】実施の形態に係る電磁接触器の端子ねじのねじ先がねじ穴に入った状態を示す図
【図２３】実施の形態に係る電磁接触器の変形例を示す図
【発明を実施するための形態】
【００１１】
以下に、本発明の実施の形態に係る電気機器を図面に基づいて詳細に説明する。なお、この実施の形態によりこの発明が限定されるものではない。
【００１２】
実施の形態．
図１は、本発明の実施の形態に係る電気機器である電磁接触器の斜視図である。図２は、実施の形態に係る電磁接触器の端子ねじ仮止め構造の斜視図である。実施の形態に係る電気機器である電磁接触器１は、端子ねじ６をねじ穴３ａから離れた状態で配置可能な空間を備えたケース２と、圧着端子付き電線が端子ねじ６によって固定される端子３と、ケース２に装着されて端子３を覆う端子カバー４と、端子ねじ６を保持する端子ねじホルダ５とを有する。端子カバー４、端子ねじホルダ５及び端子ねじ６は、端子ねじ６をねじ穴３ａから離れた状態で仮止めする端子ねじ仮止め構造９を構成している。電磁接触器１は、端子ねじホルダ５によって保持された端子ねじ６を、端子カバー４を用いて端子３のねじ穴３ａから離れた仮止め位置で仮止め可能である。電磁接触器１は、端子３を複数有している。複数の端子３は、整列して配置されている。端子ねじ６には、素線を端子３に接続するための線押さえ６ａが取り付けられている。なお、端子３に素線を接続しないのであれば、線押さえ６ａを省略して構成してもよい。
【００１３】
図３は、実施の形態に係る電磁接触器の端子ねじの側面図である。端子ねじ６は、ねじ頭６１の周縁部に環状突起６２を備えている。ねじ先６３は、面取りが施されてねじ穴３ａよりも小径になっている。
【００１４】
図４は、実施の形態に係る電磁接触器のケースの斜視図である。ケース２は、端子３同士の絶縁距離を確保するための絶縁バリア２１を備えている。したがって、図１に示したように、端子３同士の間は絶縁バリア２１によって隔てられる。また、図４に示すように、絶縁バリア２１には、凹部２２が設けられている。また、ケース２は、絶縁バリア２１と向かい合う壁部２３を備えている。壁部２３には、絶縁バリア２１側に向かって突出した係合突起２４が設けられている。
【００１５】
図５は、実施の形態に係る電磁接触器の端子カバーの正面図である。図６は、実施の形態に係る電磁接触器の端子カバーの上面図である。図７は、実施の形態に係る電磁接触器の断面図であり、図５中のVII−VIIでの断面を示している。図８は、実施の形態に係る電磁接触器の断面図であり、図５中のVIII−VIIIでの断面を示している。端子カバー４は、ケース２へ装着した状態では端子３を端子ねじ６のねじ込み方向と逆方向から覆う正面部４１と、ケース２へ装着した状態では端子ねじ６のねじ込み方向に沿うように正面部４１から延在する舌部４２と、舌部４２と間隔を空けて配置されて舌部４２を挟んで正面部４１から延在する第１の腕部４３及び第２の腕部４４とを有する。図２に示したように、正面部４１は、端子ねじ６に対しねじ頭６１側に配置され、舌部４２は、端子ねじ６の軸方向に沿って配置される。図７及び図８に示すように、第１の腕部４３及び第２の腕部４４と舌部４２とは、舌部４２の厚さ方向の位置が部分的に重なっている。第１の腕部４３及び第２の腕部４４と舌部４２とが、舌部４２の厚さ方向の位置が部分的に重なっている部分は、図７及び図８に矢印Ｏで図示されている。
【００１６】
図６に示すように、隣接する第１の腕部４３と第２の腕部４４とは、連結部４９によって連結されている。また、第２の腕部４４に隣接しない第１の腕部４３には、舌部４２から遠ざかる方向に突出する係合突起４３１が設けられている。第１の腕部４３に隣接しない第２の腕部４４には、舌部４２から遠ざかる方向に突出する係合突起４４１が設けられている。
【００１７】
第１の腕部４３の舌部４２と対向する部分には、第１の外側ガイド４３２が設けられている。第２の腕部４４の舌部４２と対向する部分には、第２の外側ガイド４４２が設けられている。
【００１８】
舌部４２の側面の第１の腕部４３と対向する部分には、第１の内側ガイド４５が設けられている。舌部４２の側面の第２の腕部４４と対向する部分には、第２の内側ガイド４６が設けられている。舌部４２の上面には、端子ねじ６の仮止めに用いる係合凸部４ａが設けられている。実施の形態においては、係合凸部４ａは、舌部４２が延在する方向に並んで二つ設けられている。係合凸部４ａが設けられた部分は、舌部４２が延在する方向に延びる溝４２１が設けられている。図５に示すように、正面部４１には、ドライバー挿入穴４１ａが設けられている。
【００１９】
図６に示すように、第１の内側ガイド４５と第１の外側ガイド４３２とは、間隔を空けて対向しており、第２の内側ガイド４６と第２の外側ガイド４４２とは、間隔を空けて対向している。
【００２０】
図９は、実施の形態に係る電磁接触器のケースに端子カバーを装着した状態を示す図である。端子カバー４は、図９の矢印Ａ方向からケース２に装着される。端子カバー４をケース２に装着する際、係合突起４３１が設けられた第１の腕部４３は、図９の矢印Ｂ方向に撓み、係合突起４４１が設けられた第２の腕部４４は、図９の矢印Ｃ方向に撓み、連結部４９で連結された第１の腕部４３及び第２の腕部４４は、図９の矢印Ｄ方向に撓む。端子カバー４が矢印Ａ方向に取り付け位置まで押し込まれると、係合突起４３１，４４１は、壁部２３に設けられた係合突起２４に係合し、かつ連結部４９は、絶縁バリア２１に設けられた凹部２２に係合し、第１の腕部４３及び第２の腕部４４は撓みがない状態に戻る。このようにして、端子カバー４は、係合突起４３１，４４１と係合突起２４との係合及び連結部４９と凹部２２との係合によりケース２に固定される。
【００２１】
図１０は、実施の形態に係る電磁接触器の端子ねじホルダの正面図である。図１１は、実施の形態に係る電磁接触器の端子ねじホルダの上面図である。図１２は、実施の形態に係る電磁接触器の端子ねじホルダの左側面図である。図１３は、実施の形態に係る電磁接触器の端子ねじホルダの右側面図である。図１４は、実施の形態に係る電磁接触器の断面図であり、図１０中のXIV−XIV断面を示している。図１５は、実施の形態に係る電磁接触器の断面図であり、図１０中のXV−XV断面を示している。端子ねじホルダ５は、端子ねじ６を保持し、端子カバー４に案内されて端子ねじ６をスライド移動させる保持部５１と、舌部４２が貫通し、内面に第１の内側ガイド４５に対向する第１の被内側ガイド５２ａ及び第２の内側ガイド４６に対向する第２の被内側ガイド５２ｂを有する被ガイド部５２と、外面に第１の外側ガイド４３２に対向する第１の被外側ガイド５３ａ及び第２の外側ガイド４４２に対向する第２の被外側ガイド５３ｂを有する操作部５３とを備える。被ガイド部５２は、舌部４２の上面と対向する部分に突起５ｂを備えている。
【００２２】
保持部５１と被ガイド部５２とは繋がっており、両者の間にはくびれ部５４が設けられている。被ガイド部５２には、係合凸部４ａと係合する突起５ｂが設けられている。第１の被外側ガイド５３ａは、第１の被内側ガイド５２ａよりも端子ねじ６のねじ込み方向の長さが長くなっている。第２の被外側ガイド５３ｂは、第２の被内側ガイド５２ｂよりも端子ねじ６のねじ込み方向の長さが長くなっている。
【００２３】
保持部５１の内側には、端子ねじ６を着脱する方向の位置をずらして第１の凸部５１ａと第２の凸部５１ｂとが設けられている。
【００２４】
端子ねじ６は、環状突起６２が端子ねじホルダ５の第１の凸部５１ａと第２の凸部５１ｂとの間に挟まれることによって端子ねじホルダ５に固定され、端子ねじ６が軸方向に脱落することが防止される。端子ねじホルダ５は、保持部５１と被ガイド部５２とが繋がっているため、保持部５１を弾性変形させやすくなっており、端子ねじ６を保持部５１に装着する作業を容易に行える。くびれ部５４が設けられているため、保持部５１に保持した端子ねじ６は、端子ねじホルダ５から脱落しにくくなっている。
【００２５】
案内する側である図６に示した第１の外側ガイド４３２は、案内される側である第１の被外側ガイド５３ａよりも端子ねじ６のねじ込み方向の長さが長くなっている。同様に、案内する側である図６に示した第２の外側ガイド４４２は、案内される側である第２の被外側ガイド５３ｂよりも端子ねじ６のねじ込み方向の長さが長くなっている。また、案内する側である図６に示した第１の内側ガイド４５は、案内される側である第１の被内側ガイド５２ａよりも端子ねじ６のねじ込み方向の長さが長くなっている。同様に、案内する側である図６に示した第２の内側ガイド４６は、案内される側である第２の被内側ガイド５２ｂよりも端子ねじ６のねじ込み方向の長さが長くなっている。第１の外側ガイド４３２は、仮止め位置と端子ねじ６のねじ先６３がねじ穴３ａに入る位置との間の区間で第１の被外側ガイド５３ａを案内する長さを備えている。第２の外側ガイド４４２は、仮止め位置と端子ねじ６のねじ先６３がねじ穴３ａに入る位置との間の区間で第２の被外側ガイド５３ｂを案内する長さを備えている。
【００２６】
舌部４２を被ガイド部５２に挿入すると、第１の外側ガイド４３２と第１の被外側ガイド５３ａとが対向し、第２の外側ガイド４４２と第２の被外側ガイド５３ｂとが対向する。なお、第１の外側ガイド４３２と第１の被外側ガイド５３ａとの間のクリアランス、第２の外側ガイド４４２と第２の被外側ガイド５３ｂとの間のクリアランス、第１の内側ガイド４５と第１の被内側ガイド５２ａとの間のクリアランス及び第２の内側ガイド４６と第２の被内側ガイド５２ｂとの間のクリアランスはゼロであることが好ましい。換言すると、舌部４２を被ガイド部５２に挿入した際に、第１の外側ガイド４３２と第１の被外側ガイド５３ａとが接触し、第２の外側ガイド４４２と第２の被外側ガイド５３ｂとが接触することが好ましい。また、第１の内側ガイド４５と第１の被内側ガイド５２ａとが接触し、第２の内側ガイド４６と第２の被内側ガイド５２ｂとが接触することが好ましい。ただし、第１の外側ガイド４３２と第１の被外側ガイド５３ａとの間のクリアランス、第２の外側ガイド４４２と第２の被外側ガイド５３ｂとの間のクリアランス、第１の内側ガイド４５と第１の被内側ガイド５２ａとの間のクリアランス及び第２の内側ガイド４６と第２の被内側ガイド５２ｂとの間のクリアランスは、必ずしもゼロでなくてもよい。
【００２７】
第１の被内側ガイド５２ａ及び第２の被内側ガイド５２ｂを合わせて被内側ガイドと称し、第１の被外側ガイド５３ａ及び第２の被外側ガイド５３ｂを合わせて被外側ガイドと称すると、端子ねじホルダ５は、端子カバー４が貫通する形状であって、内側面に被内側ガイドを備え、外側面に被外側ガイドを備えている。また、第１の内側ガイド４５及び第２の内側ガイド４６を合わせて内側ガイドと称し、第１の外側ガイド４３２及び第２の外側ガイド４４２を合わせて外側ガイドと称すると、端子カバー４は、端子ねじホルダ５を貫通して被内側ガイドを案内する内側ガイドと、被外側ガイドを案内する外側ガイドとを有する。
【００２８】
図１６は、実施の形態に係る電磁接触器の端子ねじ仮止め構造の正面図である。端子カバー４、端子ねじホルダ５及び端子ねじ６を組み合わせて構成した端子ねじ仮止め構造９は、舌部４２の厚さ方向において、第１の腕部４３及び第２の腕部４４と舌部４２との段差Ｌ１は、操作部５３と舌部４２との段差Ｌ２よりも小さくなっている。
【００２９】
実施の形態に係る電磁接触器の動作について説明する。図１７及び図１８は、実施の形態に係る電磁接触器の端子ねじが仮止めされた状態での一部分を示す斜視図である。図１７は、図６に示した正面部４１から遠い側の係合凸部４ａと図１０に示した突起５ｂとが係合して端子ねじ６が仮止めされた状態を示しており、図１８は、図６に示した正面部４１に近い側の係合凸部４ａと図１０に示した突起５ｂとが係合して端子ねじ６が仮止めされた状態を示している。端子ねじ６が仮止めされていない状態において、操作部５３に図１７及び図１８中の矢印Ｅ方向の力、換言すると端子ねじ６のねじ込み方向と逆向きの力を加えると、端子ねじホルダ５は、第１の被内側ガイド５２ａが第１の内側ガイド４５に案内され、第２の被内側ガイド５２ｂが第２の内側ガイド４６に案内され、第１の被外側ガイド５３ａが第１の外側ガイド４３２に案内され、第２の被外側ガイド５３ｂが第２の外側ガイド４４２に案内されることにより、端子ねじ６の軸方向に沿ってスライドし、図１７又は図１８に示すように、端子ねじ６がねじ穴３ａから離れた状態において、係合凸部４ａと突起５ｂとが係合し、端子ねじ６がねじ穴３ａから離れた状態で仮止めされる。舌部４２には、係合凸部４ａが二つ設けられているため、端子３と端子ねじ６との間隔が異なる二つの位置で端子ねじ６を仮止めできるようになっている。
【００３０】
舌部４２の厚さ方向において、第１の腕部４３及び第２の腕部４４と舌部４２との段差Ｌ１は、操作部５３と舌部４２との段差Ｌ２よりも小さくなっているため、第１の腕部４３又は第２の腕部４４が操作部５３を操作する上での障害となることはない。
【００３１】
また、第１の腕部４３及び第２の腕部４４と舌部４２とは、舌部４２の厚さ方向の位置が部分的に重なっているため、操作部５３に力を加えて端子ねじホルダ５をスライドさせて端子ねじ６を仮止めする際に、図１７及び図１８に矢印Ｒで示す端子カバー４をケース２から引きはがす力は生じにくい。したがって、端子ねじホルダ５を操作して端子ねじ６を仮止めする際に、端子カバー４がケース２から脱落することは起こりにくい。
【００３２】
図１９は、実施の形態に係る電磁接触器の端子ねじが仮止めされた状態での端子ねじ仮止め構造の断面図である。なお、図１９は、突起５ｂが正面部４１に近い側の係合凸部４ａに係合した状態を示している。突起５ｂが、正面部４１に近い側の係合凸部４ａに係合している状態では、端子３と端子ねじ６との間隔が大きいため、端子３に丸形圧着端子付き電線７の圧着端子を配置する作業を行いやすい。
【００３３】
一方、突起５ｂが、正面部４１から遠い側係合凸部４ａに係合している状態では、端子ねじホルダ５が正面部４１からねじ込み方向の逆方向に突出しないため、正面部４１に別の物体が当接しても、端子ねじ６を仮止め状態に維持することができる。
【００３４】
図２０は、実施の形態に係る電磁接触器の端子に丸形圧着端子付き電線を配置した状態での一部分を示す斜視図である。端子ねじ６が仮止めされた状態では、ねじ穴３ａと端子ねじ６との間に隙間が生じているため、丸形圧着端子付き電線７の圧着端子をねじ穴３ａに配置することができる。
【００３５】
図２１は、実施の形態に係る電磁接触器の端子ねじの仮止めが解除された状態での一部分を示す斜視図である。仮止め状態にある端子ねじ６に、端子カバー４のドライバー挿入穴４１ａを通したドライバー８で矢印Ｆ方向の力、換言すると端子ねじ６のねじ込み方向の力を加えると、係合凸部４ａと突起５ｂとの係合が解除され、端子ねじホルダ５がスライドして端子ねじ６はねじ先６３がねじ穴３ａに入る位置まで案内される。図２２は、実施の形態に係る電磁接触器の端子ねじのねじ先がねじ穴に入った状態を示す図である。ねじ先６３がねじ穴３ａに入った状態では、ドライバー８で端子ねじ６を回すだけで、端子ねじ６をねじ穴３ａにねじ止めできる。したがって、電磁接触器１では、端子３に丸形圧着端子を接続する作業を容易に行うことができる。
【００３６】
電磁接触器１は、端子ねじホルダ５の第１の被外側ガイド５３ａ及び第２の被外側ガイド５３ｂが端子カバー４の第１の外側ガイド４３２及び第２の外側ガイド４４２によって、端子ねじ６がねじ穴３ａに達する位置まで案内されるため、端子ねじ６が中心軸に対して傾いた状態でドライバー８によってねじ込み方向に押し込まれても、端子ねじ６がねじ穴３ａからずれた位置に案内されることがない。また、第１の被内側ガイド５２ａ及び第２の被内側ガイド５２ｂの端子ねじ６のねじ込み方向の長さを短くすることができ、端子ねじホルダ５のケース２内に配置される部分の寸法を大きくする必要がない。したがって、電磁接触器１は、外形寸法を大きくすることなく、端子ねじ６をねじ穴３ａに確実に案内することが可能となる。これにより、電磁接触器１では、丸形圧着端子付き電線７の配線作業の作業性を向上させることができる。
【００３７】
第１の腕部４３及び第２の腕部４４は、端子ねじ６の中心軸に対して傾いた状態でドライバー８によって端子ねじ６がねじ込み方向に押し込まれても、端子ねじホルダ５が乗り上げない高さを有する。したがって、端子ねじ６が中心軸に対して傾いた状態でドライバー８によってねじ込み方向に押し込まれても、端子ねじ６がねじ穴３ａからずれた位置に案内されることがない。
【００３８】
図９に示す凹部２２に連結部４９を引っ掛けることにより、端子ねじホルダ５の操作部５３を操作する際に、想定以上に大きな力が加わっても、端子カバー４が容易に脱落することは抑制される。
【００３９】
さらに、端子ねじ６が中心軸に対して傾いた状態でドライバー８によってねじ込み方向に押し込まれて、第１の外側ガイド４３２又は第２の外側ガイド４４２が端子ねじホルダ５から力を受けた場合でも、第１の腕部４３又は第２の腕部４４の撓み量が小さくなり、端子ねじ６を安定してねじ穴３ａに案内することが可能となり、配線作業の作業性を向上させることができる。
【００４０】
なお、上記の説明においては、隣接する第１の腕部４３と第２の腕部４４とを連結部４９で連結した構造を示したが、連結部４９を省略することも可能である。図２３は、実施の形態に係る電磁接触器の変形例を示す図である。隣接する第１の腕部４３と第２の腕部４４との間に連結部を設けないことにより、端子カバー４の形状が単純になるため、端子カバー４の製造コストを低減できる。
【００４１】
上記の説明においては、電磁接触器について説明したが、本発明は、丸形圧着端子がねじ止めされる端子を有する他の電気機器、すなわち、電磁開閉器、マニュアルモータスタータ又はブレーカといった電気機器にも適用可能である。また、端子３を複数有する電気機器に限定されることはなく、端子３が一つの電気機器にも適用可能である。
【００４２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４３】
１  電磁接触器、２  ケース、３  端子、３ａ  ねじ穴、４  端子カバー、４ａ  係合凸部、５  端子ねじホルダ、５ｂ  突起、６  端子ねじ、６ａ  線押さえ、７  丸形圧着端子付き電線、８  ドライバー、９  端子ねじ仮止め構造、２１  絶縁バリア、２２  凹部、２３  壁部、２４，４３１，４４１  係合突起、４１  正面部、４１ａ  ドライバー挿入穴、４２  舌部、４３  第１の腕部、４４  第２の腕部、４５  第１の内側ガイド、４６  第２の内側ガイド、４９  連結部、５１  保持部、５１ａ  第１の凸部、５１ｂ  第２の凸部、５２  被ガイド部、５２ａ  第１の被内側ガイド、５２ｂ  第２の被内側ガイド、５３  操作部、５３ａ  第１の被外側ガイド、５３ｂ  第２の被外側ガイド、５４  くびれ部、６１  ねじ頭、６２  環状突起、６３  ねじ先、４２１  溝、４３２  第１の外側ガイド、４４２  第２の外側ガイド。
【図１】
2017056198.tif 000003
【図２】
2017056198.tif 000004
【図３】
2017056198.tif 000005
【図４】
2017056198.tif 000006
【図５】
2017056198.tif 000007
【図６】
2017056198.tif 000008
【図７】
2017056198.tif 000009
【図８】
2017056198.tif 000010
【図９】
2017056198.tif 000011
【図１０】
2017056198.tif 000012
【図１１】
2017056198.tif 000013
【図１２】
2017056198.tif 000014
【図１３】
2017056198.tif 000015
【図１４】
2017056198.tif 000016
【図１５】
2017056198.tif 000017
【図１６】
2017056198.tif 000018
【図１７】
2017056198.tif 000019
【図１８】
2017056198.tif 000020
【図１９】
2017056198.tif 000021
【図２０】
2017056198.tif 000022
【図２１】
2017056198.tif 000023
【図２２】
2017056198.tif 000024
【図２３】
2017056198.tif 000025
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
端子ねじホルダによって保持された端子ねじを、端子カバーを用いて端子のねじ穴から離れた仮止め位置で仮止め可能な電気機器であって、
前記端子ねじホルダは、前記端子カバーが貫通する形状であって、内側面に被内側ガイドを備え、外側面に被外側ガイドを備えており、
前記端子カバーは、前記端子ねじホルダを貫通して前記被内側ガイドを案内する内側ガイドと、前記被外側ガイドを案内する外側ガイドとを有し、
前記被外側ガイドは、前記被内側ガイドよりも前記端子ねじのねじ込み方向の長さが長いことを特徴とする電気機器。
【請求項２】
端子ねじホルダによって保持された端子ねじを、端子カバーを用いて端子のねじ穴から離れた仮止め位置で仮止め可能な電気機器であって、
前記端子ねじホルダは、前記端子カバーが貫通する形状であって、内側面に被内側ガイドを備え、外側面に被外側ガイドを備えており、
前記端子カバーは、前記端子ねじホルダを貫通して前記被内側ガイドを案内する内側ガイドと、前記被外側ガイドを案内する外側ガイドとを有し、
前記外側ガイドは、前記仮止め位置と前記端子ねじのねじ先が前記ねじ穴に入る位置との間の区間で前記被外側ガイドを案内する長さを有することを特徴とする電気機器。
【請求項３】
端子ねじホルダによって保持された端子ねじを、端子カバーを用いて端子のねじ穴から離れた仮止め位置で仮止め可能な電気機器であって、
前記端子ねじホルダは、前記端子カバーが貫通する形状であって、内側面に被内側ガイドを備え、外側面に被外側ガイドを備えており、
前記端子カバーは、前記端子ねじホルダを貫通して前記被内側ガイドを案内する内側ガイドと、前記被外側ガイドを案内する外側ガイドとを有し、
前記端子カバーは、前記端子ねじのねじ込み方向に延在し側面に前記内側ガイドを有する舌部と、該舌部とは間隔を空けて配置されて該舌部を挟んで延在し、前記舌部と対向する部分に前記外側ガイドを備えた一対の腕部とを備え、
前記端子ねじホルダは、前記端子ねじを保持し、前記端子カバーに案内されて前記端子ねじをスライド移動する保持部と、前記舌部が貫通し内面に前記被内側ガイドを有する被ガイド部と、外面に前記被外側ガイドを有する操作部とを備えることを特徴とする電気機器。
【請求項４】
前記被外側ガイドは、前記被内側ガイドよりも前記端子ねじのねじ込み方向の長さが長いことを特徴とする請求項３に記載の電気機器。
【請求項５】
前記外側ガイドは、前記仮止め位置と前記端子ねじのねじ先が前記ねじ穴に入る位置との間の区間で前記被外側ガイドを案内する長さを有することを特徴とする請求項３に記載の電気機器。
【請求項６】
前記舌部の厚さ方向において、前記腕部と前記舌部との段差は、前記操作部と前記舌部との段差よりも小さいことを特徴とする請求項３に記載の電気機器。
【請求項７】
前記腕部は、前記端子を収容するケースと係合する係合突起を備え、
前記腕部と前記舌部とは、前記舌部の厚さ方向の位置が部分的に重なっていることを特徴とする請求項３に記載の電気機器。
【請求項８】
前記端子を複数備え、
前記端子カバーは、複数の前記端子の各々に対応して前記舌部及び前記腕部を備え、隣接する前記端子に対応する前記腕部同士を連結する連結部を有し、
前記ケースは、複数の前記端子を隔てる絶縁バリアに、前記連結部と係合する凹部を備えることを特徴とする請求項３から７のいずれか１項に記載の電気機器。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
端子ねじホルダによって保持された端子ねじを、端子カバーを用いて端子のねじ穴から離れた仮止め位置で仮止め可能な電気機器であって、
前記端子ねじホルダは、環状部を有する形状であって、該環状部の内側面に被内側ガイドを備え、前記環状部の外側面に被外側ガイドを備えており、
前記端子カバーは、前記端子ねじホルダの前記環状部を貫通して前記被内側ガイドを案内する内側ガイドと、前記被外側ガイドを案内する外側ガイドとを有し、
前記被外側ガイドは、前記被内側ガイドよりも前記端子ねじのねじ込み方向の長さが長いことを特徴とする電気機器。
【請求項２】
端子ねじホルダによって保持された端子ねじを、端子カバーを用いて端子のねじ穴から離れた仮止め位置で仮止め可能な電気機器であって、
前記端子ねじホルダは、環状部を有する形状であって、該環状部の内側面に被内側ガイドを備え、前記環状部の外側面に被外側ガイドを備えており、
前記端子カバーは、前記端子ねじホルダの前記環状部を貫通して前記被内側ガイドを案内する内側ガイドと、前記被外側ガイドを案内する外側ガイドとを有し、
前記外側ガイドは、前記仮止め位置と前記端子ねじのねじ先が前記ねじ穴に入る位置との間の区間で前記被外側ガイドを案内する長さを有することを特徴とする電気機器。
【請求項３】
端子ねじホルダによって保持された端子ねじを、端子カバーを用いて端子のねじ穴から離れた仮止め位置で仮止め可能な電気機器であって、
前記端子ねじホルダは、前記端子ねじを保持し、前記端子カバーに案内されて前記端子ねじをスライド移動する保持部と、内面に被内側ガイドを有する被ガイド部と、外面に被外側ガイドを有する操作部とを備え、
前記端子カバーは、前記端子ねじのねじ込み方向に延在し、前記被ガイド部を貫通可能な舌部と、該舌部とは間隔を空けて配置されて該舌部を挟んで延在する外側ガイドを有する一対の腕部とを備え、
前記舌部は、前記被内側ガイドを案内する内側ガイドを側面に有し、
一対の前記腕部は、前記被外側ガイドを案内する外側ガイドを前記舌部と対向する部分に有することを特徴とする電気機器。
【請求項４】
前記被外側ガイドは、前記被内側ガイドよりも前記端子ねじのねじ込み方向の長さが長いことを特徴とする請求項３に記載の電気機器。
【請求項５】
前記外側ガイドは、前記仮止め位置と前記端子ねじのねじ先が前記ねじ穴に入る位置との間の区間で前記被外側ガイドを案内する長さを有することを特徴とする請求項３に記載の電気機器。
【請求項６】
前記舌部の厚さ方向において、前記腕部と前記舌部との段差は、前記操作部と前記舌部との段差よりも小さいことを特徴とする請求項３に記載の電気機器。
【請求項７】
前記腕部は、前記端子を収容するケースと係合する係合突起を備え、
前記腕部と前記舌部とは、前記舌部の厚さ方向の位置が部分的に重なっていることを特徴とする請求項３に記載の電気機器。
【請求項８】
前記端子を複数備え、
前記端子カバーは、複数の前記端子の各々に対応して前記舌部及び前記腕部を備え、隣接する前記端子に対応する前記腕部同士を連結する連結部を有し、
前記ケースは、複数の前記端子を隔てる絶縁バリアに、前記連結部と係合する凹部を備えることを特徴とする請求項３から７のいずれか１項に記載の電気機器。
【国際調査報告】
2017056198.tif 000026
2017056198.tif 000027
2017056198.tif 000028
2017056198.tif 000029